(57)【要約】【課題】  キャリッジを小形化することができる編糸保持切断方法および装置を提供する。【解決手段】  針床２の端に編糸保持切断装置１を設け、保持部３のフックバー７と切断部４のカッターバー２７との駆動を、編針４７駆動用にキャリッジ３８に搭載する編成カム３９で行う。切換機構４９は、キャリッジ３８が連行する給糸口４６の位置を、編成時の仮想線で示す位置から、実線で示す編成カム３９の中心線３９ａ付近の位置に切換える。編針４７としてコンパウンドニードルを使用するときは、カッターバー２７に対して、度目調整機構を利用して、引込むストロークを大きくする。【選択図】      図１
2005048337.tif 000002
【特許請求の範囲】
【請求項１】
多数の編針を配列させた横編機の針床の長手方向にキャリッジを走行させ、キャリッジに搭載される編成カムで編針を駆動しながら、キャリッジに連行する給糸口から編糸を編針に供給して編地のコースを編成し、針床の端部に設けるカッターバーおよびフックバーで、次のコースの編成には使用しない編糸を保持して切断する編糸保持切断方法において、
編成時には編針を針床から最も突出させてから引込む編成カムの途中の位置に合わせる給糸口の連行タイミングを、編糸保持切断時には編成時の編針を針床から最も突出する編成カムの頂上位置付近に変更し、
編成カムを利用して、カッターバーおよびフックバーを針床から突出させて針床に引込むように、それぞれ駆動することを特徴とする編糸保持切断方法。
【請求項２】
針床から突出させたカッターバーを編成カムで針床に引込む際に、度目設定用のカムを作動させて、カッターバーの進退ストロークを大きくすることを特徴とする請求項１記載の編糸保持切断方法。
【請求項３】
多数の編針を配列させた横編機の針床の長手方向にキャリッジを走行させ、キャリッジに搭載される編成カムで編針を駆動しながら、キャリッジに連行する給糸口から編糸を編針に供給して編地のコースを編成し、針床の端部に設けるカッターバーおよびフックバーで、次のコースの編成には使用しない編糸を保持して切断する編糸保持切断装置において、
キャリッジに対する給糸口の連行位置を、編成時には編針を針床から最も突出させてから引込む編成カムの途中の位置に合わせ、編糸保持切断時には編成時の編針を針床から最も突出する編成カムの頂上位置付近に合わせるように切換える連行位置切換手段と、
カッターバーおよびフックバーに編成カムを作用させ、カッターバーおよびフックバーを針床から突出させてから、カッターバーが編糸を保持しても切断するに到らず、フックバーが編糸を保持するまで、針床にそれぞれ引込むように駆動する作用状態と、カッターバーおよびフックバーに編成カムを作用させないで、カッターバーおよびフックバーの針床からの突出および引込みを行わない不作用状態とを選択可能な保持切断選択手段と、
保持切断選択手段による作用状態で、編成カムによって針床から突出させて引込まれた状態のカッターバーおよびフックバーに作用して、フックバーをさらに引込んで編糸を保持してから、カッターバーをさらに引込んで編糸を切断するように引込む引込み選択手段とを含むことを特徴とする編糸保持切断装置。
【請求項４】
前記編成カムは、前記編針を突出させるニードルレイジングカムおよびセンターカムと、突出された編針を給糸位置まで引込むセンターガイドカムと、センターガイドカムによって引込まれた編針をさらに引込む度山とを含み、
前記引込み選択手段は、前記フックバーを引込む方向に付勢するばねを含み、ニードルレイジングカムを通過後に、フックバーをばねで引込み、前記カッターバーにはフックバーの引込み後に度山を作用させて引込みを行うことを特徴とする請求項３記載の編糸保持切断装置。
【請求項５】
前記引込み選択手段は、前記カッターバーの引込みを、前記度山による編針の引込みで度目が０となるストロークよりも、大きなストロークで行うことを特徴とする請求項３または４のいずれかに記載の編糸保持切断装置。
【請求項６】
前記編成カムは、前記編針を突出させるニードルレイジングカムおよびセンターカムと、突出された編針を給糸位置まで引込むセンターガイドカムと、センターガイドカムによって引込まれた編針をさらに引込む度山とを含み、
前記引込み選択手段は、前記フックバーを引込む方向に付勢するばねを含み、センターガイドカムを通過後に、フックバーをばねで引込み、前記カッターバーは度山を作用させることなく、度山よりも後行側に設ける下げカムを作用させて引込みを行うことを特徴とする請求項３記載の編糸保持切断装置。
【請求項７】
前記連行位置切換手段は、前記キャリッジまたは前記給糸口の一方に設けられ、他方側への突出状態を複数種類に切換え可能な連行ピンを含み、
該キャリッジまたは該給糸口の他方には、連行ピンと係合し、連行ピンの突出状態の種類に応じて、キャリッジに対する給糸口の連行位置を変更可能な凹所が設けられることを特徴とする請求項３〜６のいずれかに記載の編糸保持切断装置。
【発明の詳細な説明】
【技術分野】
【０００１】
本発明は、横編機で複数種の編糸を使用して編地を編成する際に、所定コースの編成を終了して、次のコースの編成には使用しない編糸を給糸口との間でフックバーによって保持し、フックバーによる保持部分と編地との間はカッターバーによって切断する編糸保持切断方法および装置に関する。
【背景技術】
【０００２】
従来から、横編機では複数種の編糸、たとえば色が異なる編糸を交互に用いて多色の模様編などが行われている。また、たとえ製品としては単一の編糸を使用しているように見えても、編端などに熱融着糸やゴム糸などが使用されることもある。複数の編糸を使用可能にするために、編成を行う歯口には複数の給糸口が設けられる。多数の編針が配列されている針床に沿ってキャリッジが走行して、キャリッジに設けられる編成カムで編針に編成動作を生じさせる際に、複数の給糸口のうちの一つをキャリッジに連行する。給糸口の連行位置は、編成カムで編針を歯口に最も進出させた後、歯口から引込む途中である。キャリッジに連行されない給糸口は、静止して待機している。待機中の給糸口では、編糸の先端を、針床の端に設ける編糸保持切断装置の保持部で保持している。ある編糸を使用して編成するコースが終了し、その編糸は次のコース以降、しばらく編成に使用しないで休止するような場合、休止する編糸は編糸保持切断装置の保持部で保持された後、編糸保持切断装置の切断部によって、編地と保持部との間を切断する。
【０００３】
図１４、図１５、図１６および図１７は、横編機の針床の端に設けられる編糸保持切断装置に関連する構成を示す（たとえば、特許文献１参照）。図１４は平面構成を示し、図１５は保持部についての側断面構成を示し、図１６は切断部についての側断面構成を示し、図１７はキャリッジに設けられるカム機構の配置を示す。
【０００４】
図１４に示すように、編糸保持切断装置５１は、針床５２の端部に設けられ、たとえば４組の保持部５３と、１組の切断部５４とを有する。針床５２には、プレート５５が等間隔に設けられ、プレート５５間にガイド溝５６が形成される。保持部５３は、図１５に示すように、ガイド溝５６内を歯口に対して進退変位可能なフックバー５７を有する。フックバー５７は、先端にフック５８を有し、後端にはフックバージャック５９の先端が係合される。フックバージャック５９は、針床５２と一体の支持部６０に対し、スプリング６１で引張られるので、フックバー５７も、針床５２内に引込まれるように付勢される。ガイド溝５６内でフックバージャック５９の上位には、フックバーセレクタ６２が設けられる。フックバーセレクタ６２は、先端がフックバージャック５９のバット６３に当接し、バット６４，６５，６６を有する。
【０００５】
図１７に示すように、キャッリッジには選針用のアクチュエータ６７が設けられ、選択的に作動可能な４つの揺動片６８ａ，６８ｂ，６８ｃ，６８ｄを有する。図１５に示すフックバーセレクタ６２中央のバット６６はアクチュエータ６７による選択用であり、４組の保持部５３でそれぞれ異なる位置に設けられる。プレートワイヤ６９，７０は、プレート５５を紙面に垂直な方向、すなわち針床５２の長手方向に貫く。プレートワイヤ６９はフックバージャック５９の後退位置のストッパとなり、後退位置でプレートワイヤ７０はフックバーセレクタ６２の凹陥部７１に係合して揺動変位の支点となる。プレート５５の頂部には帯金７２が挿通される。フックバー５７には、バット７４が設けられる。
【０００６】
図１６に示すように、切断部５４では、ガイド溝５６内を、カッターバー７７、カッターバージャック７８およびカッターバーセレクタ７９が歯口に対して進退変位可能である。カッターバー７７の先端は、鈎状に屈折し、先端後部にカッター刃８０が設けられる。カッターバー７７およびカッターバージャック７８には、バット８１，８２がそれぞれ設けられる。カッターバー７７で、カッター刃８０の背面に接するプレート５５の頂部付近には、固定刃８３を設け、固定刃８３とカッター刃８０とで編糸を鋏めば、編糸の切断が行えるようにしておく。カッターバーセレクタ７９には、フックバーセレクタ６２と同様な構造であり、バット６６は４つの揺動片６８ａ，６８ｂ，６８ｃ，６８ｄに対応する位置のいずれかに設けておく。
【０００７】
図１７に示すように、編成カム８９を搭載するキャリッジの地板９０には、アクチュエータ６７、セレクタ出しカム９１、セレクタ上げカム９２、セレクタガイドカム９３、フックバー昇降カム９４およびカッター下げカム９５を含む。キャリッジが図１４の針床５２に沿って移動するときは、給糸口９６が編成カム８９の頂上位置から移動方向の下流側にずれた位置９６ａ，９６ｂで編針９７に編糸９８を供給するように、連行される。
【０００８】
編糸保持切断装置５１を作動させる場合は、キャリッジが針床５２の端部を通過する際に、アクチュエータ６７の揺動片６８ａ，６８ｂ，６８ｃ，６８ｄを選択的に退避させる。図１７のＡの位置で、セレクタ出しカム９１によってフックバーセレクタ６２とカッターバーセレクタ７９との尾部を押し上げる。選択されるフックバーセレクタ６２とカッターバーセレクタ７９とは、退避した揺動片６８ａ，６８ｂ，６８ｃ，６８ｄにバット６６が当接しないので、プレートワイヤ７０に係合している凹陥部７１を中心とする揺動変位でガイド溝５６内から浮き上がっている状態のままとなり、尾部のバット６５がセレクタ上げカム９２の作用を受けて歯口側に進出する。図１７のＢの位置では、フックバーセレクタ６２とカッターバーセレクタ７９のバット６４がセレクタガイドカム９３の下り斜面９３ａに当接し、後退を始める。フックバー５７のバット７４とカッターバー７７のバット８１とは、フックバー昇降カム９４の昇り斜面９４ａの作用を受けて、フックバー５７とカッターバー７７とはさらに歯口側に進出する。歯口側に最大限に進出している状態で、給糸口９６から編糸９８の供給を受ける。
【０００９】
図１７のＣの位置では、スプリング６１によって引かれているフックバー５７はフックバー昇降カム９４の降り斜面９４ｂに沿って針床６２内に戻り始め、フックバー昇降カム９４の降り斜面９４ｂが終了すると、フックバー５７はスプリング６１に引かれて後退し、プレート５５の先端とフック５８との間で編糸９８を挟んで保持する。カッターバー７７は針床５２に後退するように引かれていないので、図１７のＤの位置まで突出状態を続け、カッター下げカム９５の下り斜面９５ａにバット８１が当接してから、バット８１が下り斜面９５に沿って下降するに従ってカッター刃８０が固定刃８３に近づき、編糸９８を鋏んで切断する。
【００１０】
【特許文献１】特公平１−５６１７５号公報（第３頁、第４頁、第１図、第２図Ｃ、第２図Ｄ、第５図）
【発明の開示】
【発明が解決しようとする課題】
【００１１】
図１４〜図１７に示す編糸保持切断装置５１では、アクチュエータ６７による選択や、セレクタ上げカム９２およびフックバー昇降カム９４の昇り斜面９４ａを保持部５３と切断部５４とで共用している。また、アクチュエータ６は、編針９７の選針用に設けているものを共用しているので、キャリッジの小形化が図られている。しかしながら、フックバー昇降カム９４は編成カム８９とは別に設ける専用のカムである。フックバー昇降カム９４の配置位置は、キャリッジの移動方向に関して、編成カム８９よりも後方側となる。また、キャリッジの移動に関して、切断部５４よりも保持部５３の方が針床５２の端の外方にあるので、切断部５４の方が先にキャリッジの作用を受け、保持部５３の方がキャリッジの作用を後から受けるのにもかかわらず、先に保持部５３で編糸９８を保持してから切断部５４で編糸９８を切断しなければならない。このため、フックバー昇降カム９４とカッター下げカム９５との距離を大きく必要とする。フックバー昇降カム９４とカッター下げカム９５との距離が大きくなると、キャリッジの大形化を招く。
【００１２】
キャリッジが大形化すると、針床５２では、編針５７が設けられている部分の両側に大きなスペースを必要として、針床５２の長さが大きくなって、横編機としても大形化してしまう。
【００１３】
本発明の目的は、キャリッジを小形化することができる編糸保持切断方法および装置を提供することである。
【課題を解決するための手段】
【００１４】
本発明は、多数の編針を配列させた横編機の針床の長手方向にキャリッジを走行させ、キャリッジに搭載される編成カムで編針を駆動しながら、キャリッジに連行する給糸口から編糸を編針に供給して編地のコースを編成し、針床の端部に設けるカッターバーおよびフックバーで、次のコースの編成には使用しない編糸を保持して切断する編糸保持切断方法において、
編成時には編針を針床から最も突出させてから引込む編成カムの途中の位置に合わせる給糸口の連行タイミングを、編糸保持切断時には編成時の編針を針床から最も突出する編成カムの頂上位置付近に変更し、
編成カムを利用して、カッターバーおよびフックバーを針床から突出させて針床に引込むように、それぞれ駆動することを特徴とする編糸保持切断方法である。
【００１５】
また本発明は、針床から突出させたカッターバーを編成カムで針床に引込む際に、度目設定用のカムを作動させて、カッターバーの進退ストロークを大きくすることを特徴とする。
【００１６】
さらに本発明は、多数の編針を配列させた横編機の針床の長手方向にキャリッジを走行させ、キャリッジに搭載される編成カムで編針を駆動しながら、キャリッジに連行する給糸口から編糸を編針に供給して編地のコースを編成し、針床の端部に設けるカッターバーおよびフックバーで、次のコースの編成には使用しない編糸を保持して切断する編糸保持切断装置において、
キャリッジに対する給糸口の連行位置を、編成時には編針を針床から最も突出させてから引込む編成カムの途中の位置に合わせ、編糸保持切断時には編成時の編針を針床から最も突出する編成カムの頂上位置付近に合わせるように切換える連行位置切換手段と、
カッターバーおよびフックバーに編成カムを作用させ、カッターバーおよびフックバーを針床から突出させてから、カッターバーが編糸を保持しても切断するに到らず、フックバーが編糸を保持するまで、針床にそれぞれ引込むように駆動する作用状態と、カッターバーおよびフックバーに編成カムを作用させないで、カッターバーおよびフックバーの針床からの突出および引込みを行わない不作用状態とを選択可能な保持切断選択手段と、
保持切断選択手段による作用状態で、編成カムによって針床から突出させて引込まれた状態のカッターバーおよびフックバーに作用して、フックバーをさらに引込んで編糸を保持してから、カッターバーをさらに引込んで編糸を切断するように引込む引込み選択手段とを含むことを特徴とする編糸保持切断装置である。
【００１７】
また本発明で、前記編成カムは、前記編針を突出させるニードルレイジングカムおよびセンターカムと、突出された編針を給糸位置まで引込むセンターガイドカムと、センターガイドカムによって引込まれた編針をさらに引込む度山とを含み、
前記引込み選択手段は、前記フックバーを引込む方向に付勢するばねを含み、ニードルレイジングカムを通過後に、フックバーをばねで引込み、前記カッターバーにはフックバーの引込み後に度山を作用させて引込みを行うことを特徴とする。
【００１８】
また本発明で、前記引込み選択手段は、前記カッターバーの引込みを、前記度山による編針の引込みで度目が０となるストロークよりも、大きなストロークで行うことを特徴とする。
【００１９】
また本発明で、前記編成カムは、前記編針を突出させるニードルレイジングカムおよびセンターカムと、突出された編針を給糸位置まで引込むセンターガイドカムと、センターガイドカムによって引込まれた編針をさらに引込む度山とを含み、
前記引込み選択手段は、前記フックバーを引込む方向に付勢するばねを含み、センターガイドカムを通過後に、フックバーをばねで引込み、前記カッターバーは度山を作用させることなく、度山よりも後行側に設ける下げカムを作用させて引込みを行うことを特徴とする。
【００２０】
また本発明で、前記連行位置切換手段は、前記キャリッジまたは前記給糸口の一方に設けられ、他方側への突出状態を複数種類に切換え可能な連行ピンを含み、
該キャリッジまたは該給糸口の他方には、連行ピンと係合し、連行ピンの突出状態の種類に応じて、キャリッジに対する給糸口の連行位置を変更可能な凹所が設けられることを特徴とする。
【発明の効果】
【００２１】
本発明によれば、編成時には編針を針床から最も突出させてから引込む編成カムの途中の位置に合わせる給糸口の連行タイミングを、編糸保持切断時には編成時の編針を針床から最も突出する編成カムの頂上位置付近に変更するので、キャリッジに搭載されて編針を駆動する編成カムを利用して、針床の端に設けられるカッターバーとフックバーとを駆動しても、給糸口が通過時に衝突しないように充分な余裕を付加することができる。編成カムをカッターバーおよびフックバーの駆動にも利用するので、キャリッジを小形化することができる。
【００２２】
また本発明によれば、編針よりも進退ストロークを大きく必要とするカッターバーを編成カムで駆動しても、度目設定用のカムを作動させてカッターバーの進退ストロークを大きくするので、編成カムを利用しても、充分な進退ストロークを得ることができる。
【００２３】
さらに本発明によれば、連行位置切換手段によって、キャリッジに対する給糸口の連行位置を、編成時には編針を針床から最も突出させてから引込む編成カムの途中の位置に合わせ、編糸保持切断時には編成時の編針を針床から最も突出する編成カムの頂上位置付近に合わせるように切換えるので、カッターバーおよびフックバーを編針駆動用の編成カムで駆動することができ、専用のカムを設けなくてもよいので、小形化を図ることができる。引込み選択手段によって、編成カムによって針床から突出して引込まれた状態のカッターバーおよびフックバーを、フックバーをさらに引込んで編糸を保持してから、カッターバーをさらに引込んで編糸を切断するように引込むので、編糸の保持と切断とを適切なタイミングで行うことができる。
【００２４】
また本発明によれば、カッターバーの引込みを、ニードルレイジングカムから離れた位置で行うことができるので、多くのフックバーを設けても、選択されたフックバーで編糸を確実に保持してからカッターバーによる編糸の切断を行うことができる。
【００２５】
また本発明によれば、編成カムのうちのニードルレイジングカムおよびセンターカムでフックバーとカッターバーとを針床から突出させて編糸の供給を受け、センターガイドカムで編針への給糸位置に相当する位置までの引込みを終了すると、フックバーをばねで針床に後退させて編糸を保持することができる。
【００２６】
また本発明によれば、連行ピンの突出状態の種類を、たとえば突出量の変更や、突出する連行ピンの変更などで切換え、キャリッジに対する給糸口の連行位置を、編成時と編糸保持切断時とで切換えることができる。
【発明を実施するための最良の形態】
【００２７】
以下、図１〜図１３で、本発明の実施の各形態について説明する。各図で、先行して説明した部分と対応する部分には、同一の参照符を付し、重複する説明は省略する。
【００２８】
図１〜図７は、本発明の実施の一形態である編糸保持切断装置１の概略的な構成を示す。図１は編糸保持切断装置１の全体的な構成を平面視して示し、図２は図１の編糸保持切断機構１の主要部分が設けられる針床２の端の部分を拡大して示す。編糸保持切断装置１は、針床２の端部に設けられ、たとえば４組の保持部３と、１組の切断部４とを有する。保持部３および切断部４は、針床２に等間隔に設けるプレート５間のガイド溝６内にそれぞれ配置される。編糸保持切断装置１は、図１および図２の左右方向を正面に平行にした一対の針床２を、正面から見て前後に、かつ、針床２間の歯口に対して、各針床２を側面から見て逆Ｖ字状に傾斜させて配置するＶベッド横編機で、たとえば前針床の右端に配置される。図３および図４は保持部３、図５および図６は切断部４の側断面構成を、説明の便宜上、歯口１００に対する進退方向が水平になるようにしてそれぞれ示す。ただし、Ｖベッド横編機では、前後の針床間の中間面１００ａが実際には鉛直となるように、針床２は傾斜している。図７はキャリッジに設けられるカム機構の配置を示す。
【００２９】
図３は保持部３で編糸を保持している状態、図４は保持部に編糸を供給している状態をそれぞれ示す。図３および図４に示すように、保持部３は、ガイド溝６内に摺動自在となるように挿入されるフックバー７を有する。フックバー７は、歯口１００側の先端にフック８を有し、後部はガイド溝６の上面に出没可能なように、弾力性を有するシャンクにバット２４が設けられる。ガイド溝６内でフックバー７の後部の上側には、フックバーセレクトジャック９が配置される。フックバー７の後端は、針床２と一体の支持部１０に後端を係止したスプリング１１の先端を係止する。スプリング１１は、フックバー７が針床２内に引込まれるように付勢する。フックバーセレクトジャック９の上位には、フックバーセレクタ１２が設けられる。フックバーセレクタ１２は、先端がフックバーセレクトジャック９のバット１３に当接可能であり、バット１４，１５，１６を有する。
【００３０】
中間のバット１６は、図７に示す選針用のアクチュエータ１７によって選択されるように、４つの異なる位置に設けられる。選針用のアクチュエータ１７は、電磁的に作動可能な４つの揺動片１８ａ，１８ｂ，１８ｃ，１８ｄを有する。フックバーセレクタ１２のバット１６は選択用であり、４つの揺動片１８ａ，１８ｂ，１８ｃ，１８ｄにそれぞれ対応するように、４組の保持部３でそれぞれ異なる位置に設けられる。図３〜図６に示すプレートワイヤ１９ａ，１９ｂおよび帯金２０は、プレート５を紙面に垂直な方向、すなわち針床２の長手方向に貫く。図３および図４に示すように、プレートワイヤ１９ａはフックバーセレクトジャック９の後退位置のストッパとなり、プレートワイヤ１９ｂはフックバーセレクトジャック９のカム面９ａに当接してフックバー７のバット２４をガイド溝６内に没入させる。帯金２０は、フックバーセレクタ１２がガイド溝６の上方に浮上がらないように規制する。プレートワイヤ１９ａはフックバーセレクタ１２の下側に設けられる凹陥部２１に係合して揺動変位の支点となる。
【００３１】
図５および図６に示すように、切断部４では、ガイド溝６内に、カッターバー２７、カッターバーセレクトジャック２８およびカッターバーセレクタ２９が挿入されている。カッターバー２７の先端は、鈎状に屈折させ、カッター刃３０が設けられる。カッターバー２７は、カッター刃３０を有する前半部２７ａと、後半部２７ｂとに分けて製造し、組合わせて使用する。カッターバー２７の後半部２７ｂおよびカッターバーセレクトジャック２８には、バット３１，３２がそれぞれ設けられる。図５に示すように、プレートワイヤ１９ｂは、カッターバーセレクトジャック２８のカム面２８ａに当接して、カッターバー２７の後半部２７ｂのバット３１をガイド溝６内に没入させる。カッターバー２７で、カッター刃３０の背面に接するプレート５の頂部付近には、固定刃３３を設け、固定刃３３とカッター刃３０とで編糸を鋏めば、編糸の切断が行えるようにしておく。カッターバーセレクタ２９は、フックバーセレクタ１２と基本的に同様であり、３つのバット１４，１５，１６を有する。バット１６は前述の４つの揺動片１８ａ，１８ｂ，１８ｃ，１８ｄに対応する位置のいずれかに設けておく。
【００３２】
図１に示すように、針床２の長手方向には、レール３７に案内されて、キャリッジ３８が往復走行可能である。キャリッジ３８には、編成カム３９が搭載される。図７に示すように、キャリッジ３８は、編成カム３９を支持する地板４０上に、アクチュエータ１７、セレクタ出しカム４１ａ、セレクタ上げカム４１ｂ、セレクタガイドカム４２、ガイドカム４３をそれぞれ配置する。編成カム３９は、中央にニードルレイジングカム４４ａ、センターカム（中山）４４ｂおよびセンターガイドカム（天山）４４ｃが設けられ、両側に度山４５が設けられる。図１、図３〜図６に示す給糸口４６は、センターカム４４ｂおよびセンターガイドカム４４ｃの頂部付近、すなわち編成カム３９の中心線３９ａ付近の位置Ａで、編成カム３９によって歯口１００側に進出させるフックバー７やカッターバー２７に編糸４８を供給する。キャリッジ３８が図１の針床２に沿って、たとえば右方に移動して編針４７に編成動作を行わせるとき、給糸口４６は図７に示す編成カム３９の中心線３９ａの位置Ａから移動方向の下流側にずれた位置Ｚで編針４７に編糸を供給するように、連行される。
【００３３】
図１に示すように、キャリッジ３８に関連して、給糸口４６の連行位置を切換える切換機構４９が、たとえばＶベッド横編機で前後の針床にそれぞれ設けられるキャリッジ３８間を連結するブリッジ５０に設けられる。切換機構４９は、編糸保持切断装置１を作動させるときに給糸口４６が実線で示す給糸口４６ａの位置、すなわち編成カム３９の中心線３９ａ付近の位置となるように、編針４７の編成では仮想線で示す給糸口４６ｂ，４６ｃの位置となるように、それぞれ切換えて給糸口４６を連行する。仮想線線で示す２つの位置は、キャリッジ３８の移動方向に応じて、編成カム３９の中心線３９ａよりも下流側となる方を選択する。すなわち、キャリッジ３８が右方に移動するときは給糸口４６ｂの位置に切換える。Ｖベッド横編機では、給糸口４６は、歯口１００の上方に架設される糸道レールに沿って移動可能であり、糸道レールが複数設けられ、そのうちの１つを選択して使用するような構成を用いることが多い。１または複数のコースの編成に使用した給糸口４６を、いったん、針床２の端で休止させ、他の給糸口４６を使用る際に、編糸保持切断装置１を作動させる。
【００３４】
キャリッジ３８が針床２の端部を通過する際に、編糸保持切断装置１を編糸に対して作動させるようにアクチュエータ１７の揺動片１８ａ，１８ｂ，１８ｃ，１８ｄを選択的に退避させると、まず切断部４の選択を開始してから保持部３の選択を開始する。選択されない他の揺動片１８ａ，１８ｂ，１８ｃ，１８ｄは突出させておく。切断部４と保持部３とを両方とも作動させる場合で、カッターバーセレクタ９のバット１６の位置と、選択するフックバーセレクタ１２のバット１６の位置とが一致する場合は、対応する揺動片１８ａ，１８ｂ，１８ｃ，１８ｄを選択的に退避させる。カッターバーセレクタ９のバット１６の位置と、選択するフックバーセレクタ１２のバット１６の位置とが一致しない場合は、両方に対応する揺動片１８ａ，１８ｂ，１８ｃ，１８ｄを選択的に退避させておいて、切断部４を通過後、切断部４に対応する揺動片１８ａ，１８ｂ，１８ｃ，１８ｄを突出させる。
【００３５】
アクチュエータ１７による選針機構は、編針の選針用のバットが、Ａポジション、Ｈポジション、またはＢポジションのいずれかの位置となるように選択するために設けられている。Ａポジションはタック、Ｈポジションはニット、Ｂポジションはミスにそれぞれ対応する。編糸保持切断装置１では、編針用の選針機構を利用して、フックバージャック９のバット１３と、カッターバージャック２８のバット３２とが、Ａポジション、Ｈポジション、またはＢポジションのいずれかの位置となるように選択する。
【００３６】
図７で、キャリッジ３８が左から右の方向に移動して、図１の編糸保持切断装置１を作動させる場合について説明する。フックバー７とカッターバー２７とは、まず、先行側となる図７の右側のガイドカム４３がバット２４，３１にそれぞれ作用し、ガイド溝６内の後端まで引下げられる。フックバーセレクタ１２およびカッターバーセレクタ２９も、先行側となるセレクタガイドカム４２がバット１４にそれぞれ作用して、後端位置に押下げられる。フックバーセレクタ１２およびカッターバーセレクタ２９は、図７のＸ位置で、セレクタ出しカム４１ａによって尾部が押し上げられる。フックバーセレクタ１２およびカッターバーセレクタ２９の尾部は、揺動片１８ａ，１８ｂ，１８ｃ，１８ｄが退避していると、バット１６が揺動片１８ａ，１８ｂ，１８ｃ，１８ｄに当接せず、バット１５がガイド溝６から浮き上った位置を保つ。セレクタ１２とカッターバーセレクタ２９との尾部がガイド溝６から浮上がると、バット１５がセレクタ上げカム４１ｂの作用を受けて、フックバーセレクタ１２とカッターバーセレクタ２９とは、歯口１００側に進出する。この進出によって、フックバーセレクトジャック９とカッターバーセレクトジャック２８とが押上げられ、それぞれのカム面９ａ，２８ａがプレートワイヤ１９ｂとの係合が解除され、フックバー７とカッターバー２７とは、バット２４，３１がガイド溝６から浮上がって、それぞれ編成カム３９の作用を受けるようになる。
【００３７】
まず、バット２４，３１がニードルレイジングカム４４ａおよびセンターカム４４ｂの作用で歯口１００側に進出する。Ａの位置で編糸を受けた後、センターガイドカム４４ｃの作用でＢの位置までバット２４，３１が下降するのにつれて、フックバー７およびカッターバー２７もガイド溝６内を、歯口１００から後退する。Ｂの位置では、フックバー７がスプリング１１に引かれて後退し、プレート５の先端とフック８との間で編糸を挟んで保持する。カッターバー２７は針床２に後退するように引かれていないので、度山４５の下り斜面４５ａに当接するまで突出状態を続ける。センターガイドカム４４ｃが終了してから度山４５の下り斜面４５ａに当接するまでの距離が、編糸保持切断装置１での保持部３と切断部４との距離に比較して充分にとれるときには、度山４５を利用して、カッターバー２７を引下げる。しかしながら、コンパクトな編成カム３９を実現するためには、その距離を短縮して、次の折り返しのコースで度山４５をバット３１に作用させてカッターバー２７を引下げる。または、度山４５に当接させないようにプレッサ３２ａでカッターバーセレクトジャック２８のバット３２を沈め、カッターバー２７のバット３１をガイド溝６内に沈めて度山４５を通過させ、後続のガイドカム４３の下り斜面４３ａを利用してカッターバー２７を引下げる。
【００３８】
たとえば、図１および図２に示す編針４７として、コンパウンドニードルを使用する場合、図７に示すように、キャリッジ３８には、スライダカム１０１も設けられる。ただし、コンパウンドニードルは、全体として編成カム３９による編針４７の編成動作のストロークが小さいことが特徴であり、編成カム３９は小形化される。編針４７の編成動作では、度山４５を利用して、編目ループ形成の際に編針を引込む。度山４５には、数ｍｍ程度編針４７を引下げる度目調整の機能が備えられている。度目調整では、編針を引込む最小度目数値として度目０となる度山基準位置を基準に、度山４５を移動させる。編針４７の編成動作での度目調整では、編目ループ長を調整することができる。度目０の状態の度山４５を利用してカッターバー２７を引下げて編糸を切断するためには、ストロークが不足するので、度目調整の機能を利用してストロークの不足分を補う。
【００３９】
図７の編成カム３９では、２つの位置Ｈ１，Ｈ２にフックバー７のバット２４を摺動変位させることができる。また、カッターバー２７のバット３１に対しては、４つの位置Ｈ１，Ｈ２，Ｈ３，Ｈ４に摺動変位させることができる。Ｈ１の位置は、最大の進出位置であるニット位置に対応する。Ｈ２の位置は、センターガイドカム４４ｃによる下降位置である。Ｈ３の位置は、度山４５を度目０に設定するときの下降位置である。Ｈ４の位置は、度山４５に所定の度目値を設定するときの下降位置である。図４および図６は、バット２４，３１がＨ１の位置に進出しているときのフックバー７およびカッターバー２７の歯口１００への進出状態をそれぞれ示す。
【００４０】
図８は、フックバー７のバット２４にセンターカム４４ｂとセンターガイドカム４４ｃを作用させて、給糸口４６から供給される編糸を保持するための構成を示す。図８（ａ）は平面視、図８（ｂ）は側面視の状態をそれぞれ示す。フックバー７の後端は、図３および図４に示すようにスプリング１１で引かれている。センターカム４４ｂとセンターガイドカム４４ｃとでフック８を歯口１００に進出させて給糸口４６から編糸の供給を受けて、センターカム４４ｂとセンターガイドカム４４ｃとによる案内が終了した後、スプリング１１によってフックバー７を後退させれば、編糸を保持することができる。
【００４１】
図９は、カッターバー２７のバット３１にセンターカム４４ｂとセンターガイドカム４４ｃとを作用させて、給糸口４６から供給される編糸を切断するための構成を示す。図９（ａ）は平面視、図９（ｂ）は側面視の状態をそれぞれ示す。図９（ｂ）に示すように、カッターバー２７は、カッター刃３０を有する前半部２７ａと、後半部２７ｂとに分けて製造し、組合わせて使用する。前半部２７ａは、たとえば高速度鋼など、硬質でカッター刃３０の切れ味が良好な材料を使用する。後半部２７ｂは、編針４７と同様な材料を使用する。編針４７も前半部と後半部とを分けて製造するときは、後半部を共用することができる。前述のように、ニードルレイジングカム４４ａ、センターカム４４ｂとセンターガイドカム４４ｃによって得られるストロークでは、カッターバー２７は充分な切断動作を行うことができないので、度目調整の機能を利用する。図７でガイドカム４３の下り斜面４３ａを利用するときは、選針機構でＡポジションを選択し、プレッサ３２ａでカッターバーセレクトジャック２８のバット３２をガイド溝６内に沈めて、カッターバー２７のバット３１に度山４５が作用しないようにすればよい。
【００４２】
図１０は、図１の編糸保持切断装置１を使用して編糸の保持切断を行う概略的な手順を示す。ステップｓ０から手順を開始し、ステップｓ１では給糸口４６を連行するキャリッジ３８を針床２の長手方向に沿って往復走行させ、編地のコース編成を行う。編成する編地は、予め編成データとしてプログラム化され、プログラムに従ってキャリッジ３８が走行しながら編地を編成する。ステップｓ２では、次のコースでは、連行する給糸口４６を交換する必要があるなど、編糸保持切断装置１を作動させる必要があるか否かを判断する。編糸保持切断装置１を作動させる必要がないときは、ステップｓ１に戻り、コース編成を続ける。
【００４３】
ステップｓ２で編糸保持切断装置１を作動させる必要があると判断するときは、ステップｓ３でキャリッジ３８が編糸保持切断装置１から離れる左行の状態であるか否かを判断する。左行でないときは、ステップｓ４で給糸口４６を連行しても編成を行わない空の左行コースを実行する。ステップｓ３で左行と判断するとき、またはステップｓ４で左行の空コースを経た後、ステップｓ５で給糸口４６の連行位置を、図１で給糸口４６ｃとして仮想線で示す編成用の位置から給糸口４６ａとして実線で示す保持切断用の位置まで切換えるように切換機構４９を作動させる。ステップｓ６では、給糸口４６を連行して、編針４７を作動させないようにキャリッジ３８を右行させる給糸口連行指令を与える。ステップｓ７では、針床２の端で、編針４７が配置されていない部分に到達しているか否かを判断する。到達していなければ、到達するまで右行を続ける。
【００４４】
ステップｓ７でキャリッジ３８が針床２の端に到達すると、ステップｓ８では、カッターバー２７を選択する。カッターバーセレクタ２９に設けられるバット１６の位置に合う揺動片１８ａ，１８ｂ，１８ｃ，１８ｄを選択的に引込むように、アクチュエータ１７を作動させることによって、カッターバー２７を作動させて編糸の切断を行わせるための選択が行われる。ステップｓ９では、使用するフックバー７に対応するバット１６を選択するように、アクチュエータ１７を作動させ、揺動片１８ａ，１８ｂ，１８ｃ，１８ｄを選択的に引込む。カッターバー２７およびフックバー７が選択されれば、キャリッジ３８の走行に従って、カッターバー２７が先ず歯口１００に進出し、次にフックバー７が歯口１００に進出し、その内側を給糸口４６が通過して編糸を捕捉する。フックバー７は、センターガイドカム４４ｃで歯口１００から後退させれば、スプリング１１で引戻されて、編糸の保持が行われる。カッターバー２７はスプリング１１で引かれていないので、編糸をカッター刃３０と固定刃３３との間で挟んで保持する程度であり、切断には到らない。
【００４５】
次の左行のステップ１０で、度山４５による度目調整を行う。ステップｓ１１でキャリッジ３８を左行させ、ステップｓ１２でカッターバー２７のみを選択すると、ステップｓ１２で度山４５がカッターバー２７のバット３１に作用して、カッターバー２７は針床２に引込まれ、編糸の切断が行われる。ステップｓ１３では編糸の切断が終了するのを確認し、ステップｓ１４で編糸保持切断装置１の作動を終了する。
【００４６】
図１１は、図１に示す切換機構４９の一例についての概略的な構成を示す。アクチュエータ１０５は、ソレノイドなどによって実現され、連行ピン１０６の突出量を少なくとも３段階に切換えることができる。連行ピン１０６は、突出状態で、嵌合部材１０７と嵌合する。嵌合部材１０７には、嵌合凹所１０７ａが形成され、連行ピン１０６の突出量に応じて異なる位置関係で嵌合することができる。アクチュエータ１０５は、ブリッジ５０など、キャリッジ３８側に設けられ、嵌合部材１０７は給糸口４６側に設けられる。図１１（ａ）に示すように、左行のときは連行ピン１０６の突出量にかかわらず、連行位置は同一である。右行のときは、編成時には図１１（ｂ）に示すように連行ピン１０６の突出量を小さくし、編糸保持切断時には図１１（ｃ）に示すように連行ピン１０６の突出量を大きくする。
【００４７】
図１２は、図１に示す切換機構４９の他の例である連行位置切換手段として機能する部分の構成を簡略化して示す。本構成は、キャリッジ１２８が針床の長手方向に沿って走行するときに、歯口の上方に懸架される糸道レールに沿って走行するヤーンフィーダ１２９を選択して連行する場合に適用される。ヤーンフィーダ１２９には、係合凹所１３０が設けられ、キャリッジ１２８から出没する連行ピン１３１，１３２と係合する。編成時には、１つの連行ピン１３１を出没させることによって、ヤーンフィーダ１２８の選択と、キャリッジ１２８の走行方向に合わせて給糸口の位置合せを行うことができる。すなわち、（ａ）に示す左行の状態と、（ｂ）に示す右行の状態とで、編成カムの頂点から下流側の肩の位置に給糸口の位置を切換えることができる。図１のような編糸保持切断装置１を作動させるときには、（ｃ）に示すように第２の１３２を突出させ、ヤーンフィーダ１２９の連行位置を編成カムの頂点付近に切換える。なお、（ａ），（ｃ）に示す破線の連行ピン１３２，１３１は、突出させたままでも影響がないことを示す。
【００４８】
給糸口の移動を、ベルト駆動で行う横編機も存在する。そのような横編機では、給糸口の移動のタイミングを任意に切換えることができるので、コースの編成に続けて、同一コースで編糸の保持切断を行うように、給糸口の連行タイミングを切換えるようにすればよい。
【００４９】
以上のような連行位置切換手段によって、キャリッジに対する給糸口の連行位置を、編成時には編針を針床から最も突出させてから引込む編成カムの途中の肩の位置に合わせ、編糸保持切断時には編成時の編針を針床から最も突出する編成カムの頂上位置付近に合わせるように切換えるので、カッターバー２７およびフックバー７を編針駆動用の編成カムで駆動することができる。専用のカムを設けなくてもよいので、キャリッジの小形化を図ることができる。引込み選択手段によって、編成カムによって針床から突出して引込まれた状態のカッターバー２７およびフックバー７を、フックバー７をさらに引込んで編糸を保持してから、カッターバー２７をさらに引込んで編糸を切断するように引込むので、編糸の保持と切断とを適切なタイミングで行うことができる。
【００５０】
以上のように、本実施形態では、多数の編針４７を配列させた横編機の針床２の長手方向にキャリッジ３８を走行させ、キャリッジ３８に搭載される編成カム３９で編針４７を駆動しながら、キャリッジ３８に連行する給糸口４６から編糸を編針４７に供給して編地のコースを編成し、針床２の端部に設けるカッターバー２７およびフックバー７で、次のコースの編成には使用しない編糸を保持して切断する。切換機構４９は、キャリッジ３８に対する給糸口４６の連行位置を、編成時には編針４７を針床２から最も突出させてから引込む編成カム３９の途中の位置Ｚに合わせ、編糸保持切断時には編成時の編針４７を針床２から最も突出させる編成カム３９の頂上位置付近の位置Ａに合わせるように切換える連行位置切換手段として機能する。アクチュエータ１７は、カッターバー２７およびフックバー７に編成カム３８を作用させ、カッターバー２７およびフックバー７を針床２から突出させてから、カッターバー２７が編糸を切断するに到らず、フックバー７が編糸を保持するに到らない程度まで、針床２にそれぞれ引込むように、それぞれ駆動する状態と、カッターバー２７およびフックバー７に編成カム３９を作用させないで、カッターバー２７およびフックバー７の針床２からの進退を行わない状態とを選択可能な保持切断選択手段として機能する。スプリング１１と、度山４５またはガイドカム４３は、アクチュエータ１７によって選択されて、編成カム３９によって針床２から突出して引込まれた状態のカッターバー２７およびフックバー７を、フックバー７をさらに引込んで編糸を保持してから、カッターバー２７をさらに引込んで編糸を切断するように引込む引込み選択手段として機能する。
【００５１】
図１３は、本発明の実施のさらに他の形態として、キャリッジ１０８に、ラッチニードル用の編成カム１０９を搭載し、ラッチニードル用の編成カム１０９でフックバー７およびカッターバー２７を駆動する。ラッチニードル用の編成カム１０９は、キャリッジ１０８の地板１１０上に他のカムとともに配置され、ニードルライジングカム１１４ａ、センターカム１１４ｂ、センターガイドカム１１４ｃ、および度山１１５を含む。ラッチニードルでは先端のラッチが編成時の編糸のノックオーバに伴って開閉するので、進退のストロークが大きくなる。フックバー７の動作については、図７に示すコンパウンドニードルの場合と基本的に同一である。カッターバー２７については、編成カム１０９で充分なストロークが得られるので、度目０の位置で編糸を切断することができる。ラッチニードル、すなわち、べら針を用いる場合は、図１３でセンターガイドカム１１４ｂと度山１１５との間で、フックバー７を先に引込んで編糸を保持するとともに、カッターバー２７のバット３１を度山１１５に係合させないようにガイド溝６内に沈めて度山１１５を通過させ、ガイドカム１１３の下り斜面１１３ａに係合させてカッターバー２７を引込めば、編糸を切断することができる。なお、カッターバー２７のバット３１を度山１１５に係合させずに通過させる手段は、公知の選針機構で実施可能である。すなわち、バット３１が度山１１５の引込み斜面に到達する位置では、カッターバーセレクトジャック３２のバット３２がプレッサ３２ａでガイド溝６内方向に押されることによって、その位置でバット３１をガイド溝６内に一時的に沈入させることができる。したがって、同一コースで効率よく編糸を保持し、切断することができる。
【図面の簡単な説明】
【００５２】
【図１】本発明の実施の一形態である編糸保持切断装置１の全体的な構成を示す平面図である。
【図２】図１の編糸保持切断装置１の部分的な構成を示す平面図である。
【図３】図１の保持部３の側断面図である。
【図４】図１の保持部３の側断面図である。
【図５】図１の切断部４の側断面図である。
【図６】図１の切断部４の側断面図である。
【図７】図１のキャリッジ３８に設けられるカム機構の配置を示す平面図である。
【図８】図３および図４のフックバー７のバット２４にセンターカム４４ｂおよびセンターガイドカム４４ｃを作用させて、給糸口４６から供給される編糸を保持するための構成を示す平面図および側面図である。
【図９】図５および図６のカッターバー２７のバット３１にセンターカム４４ｂおよびセンターガイドカム４４ｃを作用させて、給糸口４６から供給される編糸を切断するための構成を示す平面図および側面図である。
【図１０】図１の編糸保持切断装置１を使用して編糸の保持切断を行う概略的な手順を示すフローチャートである。
【図１１】図１の切換機構４９の一例について主要部分の構成を示す図である。
【図１２】図１の切換機構４９の他の例について主要部分の構成を示す図である。
【図１３】本発明の実施のさらに他の形態として、編針にラッチニードルを使用する場合に、キャリッジ１０８に設けられるカム機構の配置を示す平面図である。
【図１４】従来技術による編針保持切断装置の概略的な構成を示す平面図である。
【図１５】図１４の保持部についての構成を示す側断面図である。
【図１６】図１４の切断部についての構成を示す側断面図である。
【図１７】図１４の編針保持切断装置を作動させるキャリッジのカム機構の配置を示す平面図である。
【符号の説明】
【００５３】
１  編糸保持切断装置
２  針床
３  保持部
４  切断部
５  プレート
６  ガイド溝
７  フックバー
８  フック
９  フックバーセレクトジャック
１１  スプリング
１２  フックバーセレクタ
１３，１４，１５，１６，２４，３１，３２  バット
１７  アクチュエータ
１８ａ，１８ｂ，１８ｃ，１８ｄ  揺動片
１９ａ，１９ｂ  プレートワイヤ
２１  凹陥部
２７  カッターバー
２８  カッターバーセレクトジャック
２９  カッターバーセレクタ
３０  カッター刃
３３  固定刃
３８，１０８  キャリッジ
３９，１０９  編成カム
４１ａ  セレクタ出しカム
４１ｂ  セレクタ上げカム
４２  セレクタガイドカム
４３，１１３  ガイドカム
４４ａ，１１４ａ  ニードルレイジングカム
４４ｂ，１１４ｂ  センターカム
４４ｃ，１１４ｃ  センターガイドカム
４５，１１５  度山
４６  給糸口
４７  編針
４９  切換機構
１００  歯口
【図１】
2005048337.tif 000003
【図２】
2005048337.tif 000004
【図３】
2005048337.tif 000005
【図４】
2005048337.tif 000006
【図５】
2005048337.tif 000007
【図６】
2005048337.tif 000008
【図７】
2005048337.tif 000009
【図８】
2005048337.tif 000010
【図９】
2005048337.tif 000011
【図１０】
2005048337.tif 000012
【図１１】
2005048337.tif 000013
【図１２】
2005048337.tif 000014
【図１３】
2005048337.tif 000015
【図１４】
2005048337.tif 000016
【図１５】
2005048337.tif 000017
【図１６】
2005048337.tif 000018
【図１７】
2005048337.tif 000019